(57)【要約】      （修正有）【課題】複数の記入者による記入内容を適切に表示させることが可能なコンピュータ装置、表示システム及びプログラムを提供する。【解決手段】コンピュータ装置３は、表示態様指定アイコン６０の選択後に表示する設定ウィンドウ上で、各電子ペン１を使用する記入者ごとに、記入したストロークを通常の態様又は通常よりも目立たない態様のいずれの態様により表示するかをユーザに指定させる。そして、コンピュータ装置３は、設定ウィンドウ上で指定された表示態様により、各電子ペン１により記入されたストロークを表示する。【選択図】図１
2014219928.tif 000002
【特許請求の範囲】
【請求項１】
手書きストロークを表示手段に表示させるコンピュータ装置であって、
記入者又は記入したペンを識別するための識別情報を含む手書きストロークに関する情報に基づき、第１の記入者又は第１のペンに対応する第１の手書きストローク群を、第２の記入者又は第２のペンに対応する第２の手書きストローク群よりも目立たない態様により前記表示手段に表示させる表示制御手段を有することを特徴とするコンピュータ装置。
【請求項２】
前記表示制御手段は、記入者又は記入したペンごとに、前記第１の手書きストローク群の表示態様、又は、前記第２の手書きストローク群の表示態様のいずれにより、手書きストロークを表示させるかを指定するための指定欄を前記表示手段に表示させることを特徴とする請求項１に記載のコンピュータ装置。
【請求項３】
前記表示制御手段は、前記第１の手書きストローク群の表示態様により手書きストロークを表示することを指定された記入者又は記入したペンに対応する指定欄へのマークを、前記第１の手書きストローク群の表示態様により表示させることを特徴とする請求項２に記載のコンピュータ装置。
【請求項４】
複数の電子ペンの各々から当該電子ペンの識別情報を含む記入情報を受信する受信手段をさらに備え、
前記表示制御手段は、前記記入情報に含まれる電子ペンの識別情報に基づき、当該記入情報に基づくストロークが前記第１のストローク群又は前記第２のストローク群のいずれに該当するかを認識することを特徴とする請求項１〜３のいずれか一項に記載のコンピュータ装置。
【請求項５】
請求項４に記載のコンピュータ装置及び電子ペンと、
コード化パターンが印刷されたスクリーンと、
前記コンピュータ装置から画像信号を受信し、当該画像信号に基づく光を前記スクリーンに投影するプロジェクタとを有し、
前記スクリーン及び前記プロジェクタは、前記表示手段として機能することを特徴とする表示システム。
【請求項６】
請求項１〜５のうちいずれか一項に記載のコンピュータ装置としてコンピュータを機能させることを特徴とするプログラム。
【発明の詳細な説明】
【技術分野】
【０００１】
本発明は、手書きストロークを表示する技術に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、ドットパターンに対向する電子ペンの角度に起因するドットの画像上の配列を補正する回転補正処理機能が記載されている。さらに、特許文献３には、ドットパターンが印刷されたドットスクリーンにコンピュータ装置の画面をプロジェクタで投影するシステムであって、ドットスクリーンに電子ペンでストロークが描かれた場合に、記入情報に基づくストロークをコンピュータ装置の画面及びドットスクリーンの両方に表示する技術が開示されている。
【先行技術文献】
【特許文献】
【０００４】
【特許文献１】特許第３８４２２８３号公報
【特許文献２】特表２００３−５２９８５３号公報
【特許文献３】特開２０１１−２２１７６８号公報
【特許文献４】特開２００３−３０８１６９号公報
【発明の概要】
【発明が解決しようとする課題】
【０００５】
複数の電子ペンにより複数の記入者がドットスクリーンなどに記入を行った場合、ある特定の記入者の記入内容に注目して視認したい場合がある。この場合に、他の記入者の記入内容を完全に消去させて、上述の特定の記入者の記入内容のみを表示させると、当該特定の記入者による記入内容と他の記入者による記入内容との相対的な位置関係が分からなくなってしまうという問題が生じる。そこで、本発明は、複数の記入者による記入内容を適切に表示させることが可能なコンピュータ装置、表示システム及びプログラムを提供することを主な目的とする。
【課題を解決するための手段】
【０００６】
本発明の一つの観点では、コンピュータ装置は、手書きストロークを表示手段に表示させるコンピュータ装置であって、記入者又は記入したペンを識別するための識別情報を含む手書きストロークに関する情報に基づき、第１の記入者又は第１のペンに対応する第１の手書きストロークを、第２の記入者又は第２のペンに対応する第２の手書きストロークよりも目立たない態様により前記表示手段に表示させる表示制御手段を有する。
【０００７】
この態様では、コンピュータ装置は、手書きストロークを表示手段に表示させる場合に、第１の記入者が記入した又は第１のペンにより記入した第１の手書きストローク群を、第２の記入者が記入した又は第２のペンにより記入した第２の手書きストローク群よりも目立たなく表示させる。これにより、コンピュータ装置は、第２の手書きストローク群を相対的に目立たせると共に、第１の手書きストローク群に対する第２の手書きストローク群の相対位置を観察者に好適に認識させることができる。なお、第１及び第２の手書きストローク群は、それぞれ、少なくとも１以上のストロークから構成される。
【０００８】
上記コンピュータ装置の一態様では、前記表示制御手段は、記入者又は記入したペンごとに、前記第１の手書きストローク群の表示態様、又は、前記第２の手書きストローク群の表示態様のいずれにより、手書きストロークを表示させるかを指定するための指定欄を前記表示手段に表示させる。この態様により、コンピュータ装置は、記入者又は記入したペンごとに、ストロークを目立たせて表示するか否かを好適にユーザに指定させることができる。
【０００９】
上記コンピュータ装置の他の一態様では、前記表示制御手段は、前記第１の手書きストローク群の表示態様により手書きストロークを表示することを指定された記入者又は記入したペンに対応する指定欄へのマークを、前記第１の手書きストローク群の表示態様により表示させる。この態様により、コンピュータ装置は、記入者又は記入したペンごとにストロークの表示態様をユーザに指定させる際に、指定した表示態様を好適にユーザに認識させることができる。
【００１０】
上記コンピュータ装置の他の一態様では、複数の電子ペンの各々から当該電子ペンの識別情報を含む記入情報を受信する受信手段をさらに備え、前記表示制御手段は、前記記入情報に含まれる電子ペンの識別情報に基づき、当該記入情報に基づくストロークが前記第１のストローク群又は前記第２のストローク群のいずれに該当するかを認識する。この態様により、コンピュータ装置は、ある電子ペンにより記入された記入内容を相対的に目立たせて表示しつつ、他の記入内容との相対位置を観察者に好適に把握させることができる。
【００１１】
本発明の他の観点では、上記記載のコンピュータ装置及び電子ペンと、コード化パターンが印刷されたスクリーンと、前記コンピュータ装置から画像信号を受信し、当該画像信号に基づく光を前記スクリーンに投影するプロジェクタとを有し、前記スクリーン及び前記プロジェクタは、前記表示手段として機能する。この態様により、ドットスクリーンに複数の電子ペンにより記入された場合であっても、表示システムは、ある電子ペンにより記入された記入内容を相対的に目立たせて表示しつつ、他の記入内容との相対位置を観察者に好適に把握させることができる。
【００１２】
本発明に係るプログラムは、上記コンピュータ装置としてコンピュータを機能させる。
【００１３】
これらのプログラムをコンピュータにインストールして機能させることで、本発明に係るコンピュータ装置を構成させることができる。
【発明の効果】
【００１４】
本発明によれば、コンピュータ装置は、手書きストロークを表示手段に表示させる場合に、第１の記入者が記入した又は第１のペンにより記入した第１の手書きストローク群を、第２の記入者が記入した又は第２のペンにより記入した第２の手書きストローク群よりも目立たなく表示させる。これにより、コンピュータ装置は、第２の手書きストローク群を相対的に目立たせると共に、第１の手書きストローク群に対する第２の手書きストローク群の相対位置を観察者に好適に認識させることができる。
【図面の簡単な説明】
【００１５】
【図１】本実施形態に係る表示システムの構成を示す。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】設定ウィンドウの表示例を示す。
【図７】チェックボックスが解除状態となった設定ウィンドウの表示を示す。
【図８】図６の設定ウィンドウに対応する投影範囲の表示例を示す。
【図９】図７の設定ウィンドウに対応する投影範囲の表示例を示す。
【図１０】変形例に係る投影範囲の表示例を示す。
【発明を実施するための形態】
【００１６】
以下、図面を参照しながら、本発明を実施するのに好適な実施形態について説明する。
【００１７】
［表示システムの構成］
図１は、本実施形態に係る表示システム１０の構成を示す。表示システム１０は、学校の教室などの協働学習の場に好適に導入される。図１に示すように、表示システム１０は、先生や生徒などの各記入者が使用する電子ペン１Ａ〜１Ｃ（１）と、電子ペン１から記入情報等を受信して処理するコンピュータ装置３と、コンピュータ装置３と接続してそのディスプレイの表示画面と同じ画像をドットスクリーン５に投影するプロジェクタ４と、ドットパターンが印刷されたドットスクリーン５とを備える。以下、これらの各構成要素について説明する。
【００１８】
（ドットスクリーン）
ドットスクリーン５は、白地の樹脂基板に、電子ペン１により読み取ることができるよう赤外線を吸収するカーボンを含んだインクによりドットパターン（コード化パターン）が印刷され、さらにドットパターンが例えば透明なＥＢ硬化樹脂層などで保護された層構成を有している。
【００１９】
（プロジェクタ）
プロジェクタ４は、コンピュータ装置３から送信された画像信号を受信し、コンピュータ装置３の画面と同じ画像を構成する光をドットスクリーン５の所定の投影範囲５０に投影する。なお、プロジェクタ４は、Ｗｉ−Ｆｉ（登録商標）などで採用される無線通信プロトコル等に従いコンピュータ装置３から無線により画像信号を受信してもよい。
【００２０】
（ドットパターン）
続いて、ドットスクリーン５に印刷されたアノト方式のドットパターン（コード化パターン）について図２及び図３を用いて説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、ドットスクリーン５上の位置座標が決定されるよう構成されている。
【００２１】
図３（ａ）は、あるドットパターンの配列を示している。図３（ａ）に示すように、縦横約２ｍｍの範囲内に６×６個のドットが、ドットスクリーン５上のどの部分から６×６ドットを取ってもユニークなパターンとなるように配置されている。これら３６個のドットにより形成されるドットパターンは位置座標（例えば、そのドットパターンがドットスクリーン５上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００２２】
（電子ペン）
次に、電子ペン１（１Ａ〜１Ｃ）について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３をドットスクリーン５上に当接させて、ストローク（手書きストローク）を記入する。ここで、電子ペン１のペン先部１０３がドットスクリーン５等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２３】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりドットスクリーン５に文字やマークを書いたりタップしたりする際にペン先部１０３からインクカートリッジ１０４を通じて与えられる圧力、即ち筆圧を検出し、その値をプロセッサ１０８へ伝送する。
【００２４】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１でドットスクリーン５等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報としてコンピュータ装置３へ送信する。また、ユーザが１つのストロークを記入し終えて電子ペン１をドットスクリーン５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３へ送信する。
【００２５】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、ドットスクリーン５上のペン先部１０３近傍に向けて赤外線を照明する。その領域は、ペン先部１０３がドットスクリーン５に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、ドットスクリーン５に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００２６】
プロセッサ１０８は、ユーザの記入が行われる間、ＣＭＯＳカメラ１０６によって供給される画像データのドットパターンから、ユーザが記入するストローク（筆跡）のドットスクリーン５等におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が発揮される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、ドットスクリーン５における６×６のドットパターンは、ドットスクリーン５内で重複することはないため、ユーザが電子ペン１で文字等を記入すると、記入された位置がドットスクリーン５のどの位置に当たるかを、プロセッサ１０８による座標演算により特定することができる。
【００２７】
メモリ１０９には、電子ペン１を識別するための「ｐｅｎ０１」といったペンＩＤ、ペン製造者番号、ペンソフトウェアのバージョン等のプロパティ情報が記憶されている。通信ユニット１１１は、ペンＩＤと、時刻情報（タイムスタンプ）と、筆圧データと、Ｘ、Ｙ座標データとを関連付けて、記入情報としてコンピュータ装置３へ送信する。この場合通信ユニット１１１によるコンピュータ装置３への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置３に送信された１個又は複数個の座標属性情報は、コンピュータ装置３によりストローク情報として記憶される。換言すると、１つのストロークは、１個又は複数個のＸ、Ｙ座標（座標点）からなり、コンピュータ装置３は、ペンダウン情報及びペンアップ情報によって、１つのストロークを構成する１個又は複数個の座標属性情報を認識する。
【００２８】
（コンピュータ装置）
次に、コンピュータ装置３について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。なお、コンピュータ装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。
【００２９】
図５は、コンピュータ装置３の機能ブロック図である。コンピュータ装置３は、機能的には、マウスやキーボードといった入力手段３１、通信手段３２、記憶手段３３、処理手段３４、表示手段３６、インターフェース３７を備える。通信手段３２は、アンテナ受信回路等により構成され、電子ペン１から記入情報を受信し、受信した情報を処理手段３４に伝送する。表示手段３６は、ディスプレイ等によって構成され、処理手段３４によって指示された内容を表示する。インターフェース３７は、プロジェクタ４と接続するためのインターフェースである。インターフェース３７は、処理手段３４の処理命令に基づき、表示手段３６に画像を表示するための画像信号をプロジェクタ４に送信し、表示手段３６の画像と同じ画像を同期して投影させる。
【００３０】
処理手段３４は、ＣＰＵ等のプロセッサによって構成され、コンピュータ装置３の全体の制御を行う。処理手段３４は、表示制御手段３４１を有する。
【００３１】
表示制御手段３４１は、各種機能に関連付けられたアイコン６を表示した専用ビューアを表示させ、専用ビューアによりユーザが指定したスライドを表示させる。このとき、表示制御手段３４１は、複数のアイコン６をスライド上に表示させる。表示制御手段３４１は、アイコン６として、描画するストロークの表示態様を電子ペン１ごとに変更するための表示態様指定アイコン６０などを表示する。そして、表示制御手段３４１は、ドットスクリーン５に対する電子ペン１の記入情報を通信手段３２が受信した場合、当該記入情報に含まれる座標情報がアイコン６の表示領域を示すか否か判定する。そして、表示制御手段３４１は、記入情報に含まれる座標情報がアイコン６の表示領域を示す場合、当該アイコン６が選択されたと認識し、当該アイコン６に関連付けられた機能に対応する処理を実行する。一方、表示制御手段３４１は、記入情報に含まれる座標情報がアイコン６の表示領域以外のスライドの領域を示す場合、専用ビューアにより表示中のスライドにドットスクリーン５への筆跡を再現したストロークを即時に描画する。
【００３２】
また、処理手段３４は、キャリブレーション用マークを少なくとも２以上、表示手段３６に表示させることにより、プロジェクタ４に対し、ドットスクリーン５にもキャリブレーション用マークを投影させ、キャリブレーション用マークが投影された位置のドットパターンを電子ペン１に読み取らせて記入情報を受信することで、ドットスクリーン５のドットパターンにかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、ドットスクリーン５のドットパターンにかかる座標系のデータを受信したときに、表示手段３６のディスプレイにかかる座標系のデータに変換し、ストロークを描画したり、所定の処理を行ったりする。
【００３３】
記憶手段３３は、ＲＯＭやＲＡＭといったメモリによって構成される。記憶手段３３は、処理手段３４の処理命令により、電子ペン１から受信した記入情報をペンＩＤ毎に記憶する。また、記憶手段３３は、ドットスクリーン５に対応するドットパターンが示す座標範囲の情報（「座標定義情報」とも呼ぶ。）を記憶する。また、記憶手段３３は、専用ビューアを実行するためのプログラムや、専用ビューアにより表示させる各スライドの表示情報を含むファイルの情報を記憶する。なお、スライドの表示情報には、電子ペン１から受信した記入情報が含まれる。また、記憶手段３３は、各電子ペン１Ａ〜１ＣのペンＩＤと、当該電子ペン１を使用する記入者の識別情報（「ユーザＩＤ」とも呼ぶ。）とを関連付けたユーザ定義情報を記憶する。ユーザ定義情報は、入力手段３１への入力に基づき生成されたものであってもよく、コンピュータ装置３とペアリングを行った電子ペン１に対して処理手段３４が自動的に通し番号を含むユーザ名を割り振ることで生成されたものであってもよい。
【００３４】
［表示切替］
次に、表示態様指定アイコン６０に関連付けられた表示切替機能について詳しく説明する。概略的には、表示制御手段３４１は、表示態様指定アイコン６０の選択後に表示する設定ウィンドウへの入力に基づき、記入情報に基づくストロークを、通常の態様又は通常よりも目立たない態様のいずれの態様により表示するかを、記入者ごとに決定する。これにより、表示制御手段３４１は、指定された記入者が記入したストロークを相対的に目立たせつつ、当該ストロークと他の記入者が記入したストロークとの相対位置関係を好適に観察者に視認させる。
【００３５】
（１）設定ウィンドウ
図６は、表示態様指定アイコン６０が選択された場合に表示される設定ウィンドウ７０の表示例を示す。表示制御手段３４１は、電子ペン１から受信した記入情報に基づき、表示態様指定アイコン６０がタップされたことを検知した場合、図６に示す設定ウィンドウ７０を専用ビューア上に表示させる。
【００３６】
図６に示すように、この場合、表示制御手段３４１は、設定ウィンドウ７０内に、各電子ペン１Ａ〜１Ｃを使用する記入者ごとに設けたチェックボックス８０Ａ〜８０Ｃ（８０）と、全チェックボックス８０Ａ〜８０Ｃを選択状態（即ちチェックした状態）にするための全選択ボタン８１と、全チェックボックス８０Ａ〜８０Ｃを選択状態でない解除状態にするための全解除ボタン８２と、決定ボタン８３とを表示させる。
【００３７】
まず、表示制御手段３４１は、記憶手段３３が記憶したユーザ定義情報に登録されたユーザＩＤごとに、チェックボックス８０を設定ウィンドウ７０内に表示させる。図６の例では、表示制御手段３４１は、電子ペン１ＡのペンＩＤとユーザＩＤ「ＵＳＥＲ０１」、電子ペン１ＢのペンＩＤとユーザＩＤ「ＵＳＥＲ０２」、及び電子ペン１ＣのペンＩＤとユーザＩＤ「ＵＳＥＲ０３」をそれぞれ関連付けたユーザ定義情報を参照し、各ユーザＩＤに対応するチェックボックス８０Ａ〜８０Ｃを各ユーザＩＤと共に表示させている。なお、表示制御手段３４１は、初期状態では、全チェックボックス８０Ａ〜８０Ｃを選択状態にして表示している。
【００３８】
また、表示制御手段３４１は、電子ペン１から受信した記入情報に基づき、任意のチェックボックス８０が電子ペン１によりタップされたことを認識した場合、当該チェックボックス８０の状態を選択状態から解除状態、又は解除状態から選択状態に切り替える。また、表示制御手段３４１は、電子ペン１から受信した記入情報に基づき、全選択ボタン８１が電子ペン１によりタップされたことを認識した場合、全チェックボックス８０Ａ〜８０Ｃを選択状態にする。また、表示制御手段３４１は、表示制御手段３４１は、電子ペン１から受信した記入情報に基づき、全解除ボタン８２が電子ペン１によりタップされたことを認識した場合、全チェックボックス８０Ａ〜８０Ｃを解除状態にする。
【００３９】
そして、表示制御手段３４１は、チェックボックス８０が選択状態の場合、対応するユーザが使用する電子ペン１により描かれたストロークを通常の態様により表示させる旨の指定があったと認識する。一方、表示制御手段３４１は、チェックボックス８０が解除状態の場合、対応するユーザが使用する電子ペン１により描かれたストロークを通常よりも目立たない態様により表示させる旨の指定があったと認識する。
【００４０】
また、好適には、表示制御手段３４１は、解除状態のチェックボックス８０のチェックを、非表示にせずに、選択状態のチェックボックス８０のチェックよりも目立たない態様により表示する。これについて、図７を参照して説明する。
【００４１】
図７は、チェックボックス８０Ａ、８０Ｃが解除状態となった設定ウィンドウ７０の表示を示す。図７に示すように、表示制御手段３４１は、電子ペン１によるタップ操作により解除状態となったチェックボックス８０Ａ、８０Ｃのチェック（マーク）を、選択状態のチェックボックス８０Ｂのチェックよりも細くすることで、目立たないように表示する。この場合、表示制御手段３４１は、解除状態のチェックボックス８０Ａ、８０Ｃのチェックを、当該チェックボックス８０Ａ、８０Ｃに対応するユーザが使用する電子ペン１Ａ、１Ｃにより記入されたストロークの表示態様と同一の態様により表示するとよい。図７の例では、表示制御手段３４１は、電子ペン１Ａ、１Ｃにより記入されたストロークの表示態様（後述の図９参照）に合わせて、チェックボックス８０Ａ、８０Ｃのチェックを細く表示している。これにより、表示制御手段３４１は、解除状態にしたチェックボックス８０により指定したストロークの表示態様を、好適にユーザに認識させることができる。なお、チェックボックス８０は、本発明における「指定欄」の一例である。
【００４２】
そして、表示制御手段３４１は、図７の状態で電子ペン１から受信する記入情報に基づき、決定ボタン８３が選択されたことを検知した場合、各チェックボックス８０の状態に応じ、専用ビューアに表示されたスライドに描画するストロークの表示態様を変更する。この具体例については、図９を参照して後述する。
【００４３】
なお、表示制御手段３４１は、ユーザ定義情報に登録された全てのユーザＩＤに対応するチェックボックス８０を表示する代わりに、表示中のスライドに表示された各ストロークの記入者に対応するユーザＩＤを認識し、認識したユーザＩＤに対応するチェックボックス８０を表示してもよい。この場合、表示制御手段３４１は、ストロークの描画に用いた記入情報に含まれる電子ペン１のペンＩＤに基づき、ユーザ定義情報を参照することで、表示すべきストロークを記入した電子ペン１を使用する記入者を示すユーザＩＤを認識する。
【００４４】
（２）表示例
図８は、設定ウィンドウ７０において全チェックボックス８０Ａ〜８０Ｃが選択状態の場合に対応する投影範囲５０の表示例を示す。図８の例では、表示制御手段３４１は、文字列「発芽の条件」を構成するストローク群９１Ａ、文字列「要らない」を構成するストローク群９１Ｂ、引き出し線を構成するストローク群９１Ｃ〜９１Ｄを、それぞれ、ユーザＩＤ「ＵＳＥＲ０１」の記入者が使用する電子ペン１Ａから受信した記入情報に基づき描画している。また、表示制御手段３４１は、文字列「温度」を構成するストローク群９２Ａ及び文字列「肥料」を構成するストローク群９２Ｂを、それぞれ、ユーザＩＤ「ＵＳＥＲ０２」の記入者が使用する電子ペン１Ｂから受信した記入情報に基づき描画している。さらに、表示制御手段３４１は、文字「水」を構成するストローク群９３Ａ及び文字列「日光」を構成するストローク群９３Ｂを、それぞれ、ユーザＩＤ「ＵＳＥＲ０３」の記入者が使用する電子ペン１Ｃから受信した記入情報に基づき描画している。
【００４５】
そして、図８の例では、表示制御手段３４１は、電子ペン１Ａ〜１Ｃにより描かれた全てのストロークを、通常の態様により表示する。具体的には、表示制御手段３４１は、電子ペン１によるストロークの記入時にアイコン６の選択等に基づき指定された色や線幅等により、各ストロークを表示する。また、表示制御手段３４１は、電子ペン１によるストロークの記入後に、表示色や線幅等についての指定があった場合には、指定された色や線幅により対象のストロークを表示する。また、表示制御手段３４１は、異なる電子ペン１により描かれたストロークを、それぞれ異なる色により表示してもよい。例えば、この場合、表示制御手段３４１は、電子ペン１Ａにより描かれたストロークを黒、電子ペン１Ｂにより描かれたストロークを青、電子ペン１Ｃにより描かれたストロークを赤により表示してもよい。
【００４６】
図９は、チェックボックス８０Ａ、８０Ｃが解除状態の図７に示す設定ウィンドウ７０に対応する投影範囲５０の表示例を示す。図９に示すように、設定ウィンドウ７０が図７に示す状態で決定ボタン８３が選択された場合、表示制御手段３４１は、解除状態のチェックボックス８０Ａ、８０Ｃに対応する記入者が使用する電子ペン１Ａ、１ＣのペンＩＤを含む記入情報により描かれたストローク群９１Ａ〜９１Ｄ、９３Ａ〜９３Ｂの線幅を、チェックボックス８０Ａ、８０Ｃが選択状態である図８の場合と比較して細くする。これにより、表示制御手段３４１は、ストローク群９１Ａ〜９１Ｄ、９３Ａ〜９３Ｂを、選択状態のチェックボックス８０Ｂに対応する記入者が使用する電子ペン１ＢのペンＩＤを含む記入情報により描かれたストローク群９２Ａ〜９２Ｂよりも目立たなくしている。このように、表示制御手段３４１は、選択状態のチェックボックス８０Ｂに対応するストローク群９２Ａ〜９２Ｂを相対的に目立たせつつ、解除状態のチェックボックス８０Ａ、８０Ｃに対応するストローク群９１Ａ〜９１Ｄ、９３Ａ〜９３Ｂとの相対的な位置関係等を明確に表示することができる。
【００４７】
また、表示制御手段３４１は、設定ウィンドウ７０での設定後に電子ペン１から記入情報を受信し、当該記入情報に基づくストロークを即時に描画する場合も同様に、受信した記入情報が示す電子ペン１のペンＩＤに基づき、当該ストロークを通常表示するか又は通常表示よりも目立たなく表示するか決定する。例えば、表示制御手段３４１は、図９の例で、さらにアイコン６以外の領域への記入操作により電子ペン１Ａ又は電子ペン１Ｃから記入情報を受信した場合、当該記入情報に基づくストロークの線幅を、ストローク群９１Ａ〜９１Ｄ、９３Ａ〜９３Ｂと同様に細く表示する。
【００４８】
なお、図７及び図９の例において、ストローク群９１Ａ〜９１Ｄ、９３Ａ〜９３Ｂは、本発明における「第１の手書きストローク群」の一例であり、ストローク群９２Ａ〜９２Ｂは、本発明における「第２の手書きストローク群」の一例である。また、ユーザＩＤ「ＵＳＥＲ０１」、「ＵＳＥＲ０３」が示すユーザは、本発明における「第１の記入者」の一例であり、ユーザＩＤ「ＵＳＥＲ０２」が示すユーザは、本発明における「第２の記入者」の一例である。また、電子ペン１Ａ、１Ｃは、本発明における「第１のペン」の一例であり、電子ペン１Ｂは、本発明における「第２のペン」の一例である。また、電子ペン１のペンＩＤは、本発明における「記入者又は記入したペンを識別するための識別情報」の一例である。
【００４９】
［本実施形態による作用効果］
本実施形態の表示システム１０によれば、コンピュータ装置３は、表示態様指定アイコン６０の選択後に表示する設定ウィンドウ７０上で、各電子ペン１を使用する記入者ごとに、記入したストロークを通常の態様又は通常よりも目立たない態様のいずれの態様により表示するかをユーザに指定させる。そして、コンピュータ装置３は、設定ウィンドウ７０上で指定された表示態様により、各電子ペン１により記入されたストロークを表示する。これにより、表示制御手段３４１は、特定の記入者が記入したストロークを相対的に目立たせつつ、当該ストロークと他の記入者が記入したストロークとの相対位置関係を好適に表示することができる。
【００５０】
［変形例］
次に、本実施形態の変形例について説明する。以下の変形例は、任意に組み合わせて上述の実施形態に適用してもよい。
【００５１】
（変形例１）
図７及び図９の例では、表示制御手段３４１は、解除状態のチェックボックス８０に対応する記入者が使用する電子ペン１により描かれたストロークの線幅を細くすることで、当該ストロークを目立たないように表示した。これに代えて、又はこれに加えて、表示制御手段３４１は、目立たなくすべきストロークを薄く表示したり、又は／及び、破線にして表示したりしてもよい。
【００５２】
図１０は、変形例に係る投影範囲５０の表示例を示す。図１０では、表示制御手段３４１は、解除状態のチェックボックス８０Ａ、８０Ｃに対応する記入者が使用する電子ペン１Ａ、１Ｃにより描かれたストローク群９１Ａ〜９１Ｄ、９３Ａ〜９３Ｂを、チェックボックス８０Ａ、８０Ｃが選択状態である図８の場合と比較して、薄く（即ち、同系統の薄い色により）表示している。これによっても、表示制御手段３４１は、選択状態のチェックボックス８０Ｂに対応するストローク群９２Ａ〜９２Ｂを相対的に目立たせつつ、解除状態のチェックボックス８０Ａ、８０Ｃに対応するストローク群９１Ａ〜９１Ｄ、９３Ａ〜９３Ｂとの相対的な位置関係を明確に表示することができる。
【００５３】
また、本変形例においても、表示制御手段３４１は、設定ウィンドウ７０に表示する解除状態のチェックボックス８０のチェックを、当該チェックボックス８０に対応する記入者が使用する電子ペン１により描かれたストロークと同一の態様（図１０では薄く表示する態様）により目立たなく表示するとよい。これにより、表示制御手段３４１は、解除状態にしたチェックボックス８０に対応するストロークの表示態様を好適に観察者に認識させることができる。
【００５４】
（変形例２）
記憶手段３３は、ペンダウンからペンアップまでの記入情報に含まれる座標属性情報をストローク情報としてペンＩＤ毎に記憶し、表示制御手段３４１は、当該ストローク情報に基づき専用ビューアにより表示するスライド上にストロークを表示させてもよい。また、この場合、記憶手段３３は、ペンＩＤに代えて、当該ペンＩＤにより認識したユーザＩＤと関連付けてストローク情報を記憶してもよい。
【００５５】
（変形例３）
表示制御手段３４１は、電子ペン１からコンピュータ装置３が受信した記入情報に基づき、専用ビューアにより表示させたスライド上にストロークを表示させた。これに代えて、表示制御手段３４１は、コンピュータ装置３と通信可能なサーバ装置から複数の記入者のストロークが描かれたスライドの表示情報を含むファイルを受信することで、専用ビューアに当該ファイルのスライドを表示させてもよい。この場合であっても、表示制御手段３４１は、設定ウィンドウ７０への入力に基づき、複数の記入者により記入されたストロークを、通常の態様又は通常よりも目立たない態様のいずれの態様により表示するかを記入者ごとに決定し、当該ストロークを表示する。
【００５６】
（変形例４）
上記実施形態において、電子ペン、ドットパターン（コード化パターン）、記入情報に、アノト方式を用いたが、アノト方式に限られなくともよい。
【符号の説明】
【００５７】
１…電子ペン
３…コンピュータ装置
４…プロジェクタ
５…ドットスクリーン
６…アイコン
１０…表示システム
【図１】
2014219928.tif 000003
【図２】
2014219928.tif 000004
【図３】
2014219928.tif 000005
【図４】
2014219928.tif 000006
【図５】
2014219928.tif 000007
【図６】
2014219928.tif 000008
【図７】
2014219928.tif 000009
【図８】
2014219928.tif 000010
【図９】
2014219928.tif 000011
【図１０】
2014219928.tif 000012